(57)【要約】【課題】安価でかつ部品交換サービス性に優れた高性能ショーケース用コンデンシングユニットを提供する。【解決手段】コンデンサ１と、ファン２と、コンプレッサ４とを備え、ショーケース６の機械室７の天面とコンデンサ１の天面との隙間寸法を小さく構成したので、特別な構成部品としてのファンダクトを設けることなく機械室７の天面をファンダクトとして利用することができるため、安価でかつ部品交換サービス性に優れた高性能なコンデンシングユニットを実現できる。【選択図】図１
2005180844.tif 000002
【特許請求の範囲】
【請求項１】
冷媒を凝縮させるコンデンサと、前記コンデンサの風下側に位置するファンと、前記ファンの風下側に位置するコンプレッサとを備え、ショーケース下部の機械室に設置され、前記機械室天面と前記コンデンサ天面との隙間を小さくして、前記機械室天面をファンダクトに利用したショーケース用コンデンシングユニット。
【請求項２】
前記機械室天面と前記コンデンサ天面との隙間が、１０ｍｍ以下である請求項１に記載のショーケース用コンデンシングユニット。
【請求項３】
前記機械室天面と前記コンデンサ天面との隙間に、スペーサーを設置した請求項１または２に記載のショーケース用コンデンシングユニット。
【請求項４】
前記コンデンサのエンドプレートをファンダクトに利用した請求項１から３のいずれか一項に記載のショーケース用コンデンシングユニット。
【請求項５】
前記コンデンサのエンドプレートにフランジを設けた請求項４に記載のショーケース用コンデンシングユニット。
【請求項６】
前記フランジの形状が、略多角形である請求項５に記載のショーケース用コンデンシングユニット。
【発明の詳細な説明】
【技術分野】
【０００１】
本発明はショーケース用コンデンシングユニットに関するものである。
【背景技術】
【０００２】
従来、この種のショーケース用コンデンシングユニットは、コンデンサに効率よく風を流して、性能を高めるためのファンダクトを備えている（特許文献１参照）。
【０００３】
図５は、特許文献１に記載された従来のショーケース用コンデンシングユニットを示すものである。図５に示すように、コンデンサ１と、ファン２と、ファンダクト３と、コンプレッサ４と、ユニットベース５とから構成されている。
【特許文献１】特開平８−１１０１４４号公報
【発明の開示】
【発明が解決しようとする課題】
【０００４】
しかしながら、上記従来の構成では、コンデンサ１にファン２で効率よく風を流して、性能を高めるためのファンダクト３を有していたので、ファンダクト３の部品コストを必要とし、またファンダクト３をコンデンサ１またはユニットベース５に取り付けるための工数も必要するので、コストが高く、さらにサービス交換性が悪いという課題を有していた。
【０００５】
本発明は、上記従来の課題を解決するもので、安価であり、サービス交換性に優れた高性能なショーケース用コンデンシングユニットを提供することを目的とする。
【課題を解決するための手段】
【０００６】
上記従来の課題を解決するために、本発明のショーケース用コンデンシングユニットは、ショーケース機械室天面とコンデンサ天面との隙間を小さくして、ショーケース機械室天面をファンダクトに利用したものである。
【０００７】
これによって、ファンダクトがある場合と同様に、風が効率よくコンデンサに流れるようになるので、ファンダクトをなくすことができ、部品点数を削減して、コストを安くでき、またサービス交換性も向上する。
【発明の効果】
【０００８】
本発明のショーケース用コンデンシングユニットは、ショーケース機械室天面とコンデンサ天面との隙間を小さくして、ショーケース機械室天面をファンダクトに利用したので、部品点数を削減できて安価になり、また部品交換のサービス交換性を向上することができる。
【０００９】
また、本発明のショーケース用コンデンシングユニットは、ショーケース機械室天面とコンデンサ天面との隙間を１０ｍｍ以下にしたので、最も効率よく風を流せる隙間の範囲となり、性能を向上することができる。
【００１０】
また、本発明のショーケース用コンデンシングユニットは、ショーケース機械室天面とコンデンサ天面との隙間に、スペーサーを設置したので、安価にすることができる。
【００１１】
また、本発明のショーケース用コンデンシングユニットは、コンデンサのエンドプレートをファンダクトに利用したので、性能を向上することができる。
【００１２】
また、本発明のショーケース用コンデンシングユニットは、コンデンサのエンドプレートにフランジ部を設けたので、性能を向上することができる。
【００１３】
また、本発明のショーケース用コンデンシングユニットは、エンドプレートに設けたフランジ部の形状を略多角形にしたので、安価に製作することができる。
【発明を実施するための最良の形態】
【００１４】
請求項１に記載の発明は、冷媒を凝縮させるコンデンサと、前記コンデンサの風下側に位置するファンと、ファンの風下側に位置するコンプレッサとを備え、ショーケース下部の機械室に設置され、ショーケース機械室天面とコンデンサ天面との隙間を小さくして、機械室天面をファンダクトに利用したので、ファンダクトがある場合と同様に、効率よく風を流すことができるので、部品点数を削減できて安価になり、またサービス交換性も向上することができる。
【００１５】
請求項２に記載の発明は、請求項１に記載の発明のショーケース機械室天面とコンデンサ天面との隙間を１０ｍｍ以下にしたことにより、コンデンサに効率よく風が流れるようにすることができるので、性能を向上することができる。
【００１６】
請求項３に記載の発明は、請求項１または２に記載の発明のファンダクトにおいて、ショーケース機械室天面とコンデンサ天面との隙間に、スペーサーを設置したので、ファンダクトがある場合と同様に、効率よく風を流すことができ、ファンダクトよりも安価に取り付けることができる。
【００１７】
請求項４に記載の発明は、請求項１から３のいずれか一項に記載の発明のコンデンサのエンドプレートをファンダクトに利用したので、ファンダクトがある場合と同様に、効率よく風を流すことができるので、性能を向上することができる。
【００１８】
請求項５に記載の発明は、請求項４に記載の発明のコンデンサのエンドプレートにフランジを設けたので、さらに風を効率よく流すことができ、性能を向上することができる。
【００１９】
請求項６に記載の発明は、請求項５に記載の発明のフランジの形状を略多角形にしたので、フランジ製作時に金型を必要とせず、安価に製作することができる。
【００２０】
以下、本発明の実施の形態について、図面を参照しながら説明する。なお、この実施の形態によってこの発明が限定されるものではない。
【００２１】
（実施の形態１）
図１は、本発明の実施の形態１におけるコンデンシングユニットを設置したショーケースの概略断面図を示すものである。図２は、本発明の実施の形態１におけるコンデンサの概略斜視図を示すものである。
【００２２】
図１において、ユニットベース５上に、冷媒を凝縮させるコンデンサ１と、コンデンサ１の風下側に位置するファン２と、コンプレッサ４とが固定されたコンデンシングユニットが、ショーケース６の下部にある機械室７に設置されている。ここで、ショーケース６の機械室７の天面とコンデンサ１の天面との隙間は小さく、１０ｍｍ以下となっている。また図２において、コンデンサ１のエンドプレート１０には、フランジ８が形成されている。フランジ８はファン２の羽根の大きさより少し大きい円形が好ましい。
【００２３】
以上のように構成されたショーケース用コンデンシングユニットについて、以下その動作、作用を説明する。
【００２４】
まず、ショーケース６の機械室７天面とコンデンサ１の天面との隙間を小さくしたので、コンデンサ１に効率よく風が流れるようになり、従来のコンデンシングユニットで用いていたファンダクトを使用しなくてよいので、部品点数が削減できる。また、ショーケース６の機械室７天面とコンデンサ１天面との隙間を１０ｍｍ以下にしたので、送風効率を向上することができる。また、コンデンサ１のエンドプレート１０をファンダクトに利用し、さらにフランジ８を設けたので、送風効率をさらに向上することができる。
【００２５】
以上のように、本実施の形態においては、ショーケース６の機械室７天面とコンデンサ１天面との隙間を小さくして、機械室７天面をファンダクトに利用したので、ファンダクトがある場合と同様に、効率よく風を流すことができるので、部品点数を削減できて安価になり、またサービス交換性を向上することができる。さらに、コンデンサ１のエンドプレート１０をファンダクトに利用したので、性能を向上することができる。
【００２６】
また、本実施の形態では、ショーケース６の機械室７天面とコンデンサ１天面との隙間を１０ｍｍ以下にしたことにより、風のバイパスが無くし、コンデンサ１に効率よく風が流れるようにすることができる。
【００２７】
また、本実施の形態では、コンデンサ１のエンドプレート１０をファンダクトに利用したので、ファンダクトがある場合と同様に、効率よく風を流すことができ、性能を向上することができる。
【００２８】
また、本実施の形態では、コンデンサ１のエンドプレート１０にフランジ８を設けたので、さらに風を効率よく流すことができ、性能を向上することができる。
【００２９】
（実施の形態２）
図３は、本発明の実施の形態２におけるコンデンシングユニットを設置したショーケースの概略断面図を示すものである。
【００３０】
図３において、コンデンシングユニットが、ショーケース６の下部にある機械室７に設置され、ショーケース６の機械室７天面とコンデンサ１天面との隙間にスペーサー９が設置されている。スペーサー９としては、例えばフォームなどが挙げられる。
【００３１】
以上のように構成されたショーケース用コンデンシングユニットについて、以下その動作、作用を説明する。
【００３２】
まず、ショーケース６の機械室７天面とコンデンサ１天面との隙間に、スペーサー９を設置したので、ファンダクトがある場合と同様に、風がバイパスすることなく、効率よく風を流すことができる。
【００３３】
以上のように、本実施の形態においては、ショーケース６の機械室７天面とコンデンサ１天面との隙間に、スペーサー９を設置したので、ファンダクトがある場合と同様に、効率よく風を流すことができ、ファンダクトよりも安価に取り付けることができる。
【００３４】
（実施の形態３）
図４は、本発明の実施の形態３におけるショーケース用コンデンシングユニットのコンデンサの概略斜視図を示すものである。
【００３５】
図４において、コンデンシングユニットのコンデンサ１のエンドプレート１０にはフランジ８が設けられており、フランジ形状は、略多角形である。ここで、できるだけ多辺の多角形であり、形状として円形に近いことが望ましい。
【００３６】
以上のように構成されたショーケース用コンデンシングユニットについて、以下その動作、作用を説明する。
【００３７】
まず、コンデンサ１に略多角形のフランジ８が形成されているので、効率よく風を流すことができる。また略多角形であるので、フランジ製作時に金型を必要とせず、製作が容易である。
【００３８】
以上のように、本実施の形態においては、フランジ８の形状を略多角形にしたので、フランジ８の製作時に金型を必要とせず、安価に製作することができる。
【産業上の利用可能性】
【００３９】
以上のように、本発明にかかるショーケース用コンデンシングユニットは、ショーケースの機械室天面とコンデンサ天面との隙間を小さくしたので、ショーケース機械室天面をファンダクトに利用できるので、ファンダクトが不要となり、部品点数を削減できるので安価となり、さらにサービス交換性も向上するので、ビールサーバーや飲料ディスペンサー等の用途にも適用できる。
【図面の簡単な説明】
【００４０】
【図１】本発明の実施の形態１におけるショーケース用コンデンシングユニットを設置したショーケースの概略断面図
【図２】本発明の実施の形態１におけるショーケース用コンデンシングユニットのコンデンサの概略斜視図
【図３】本発明の実施の形態２におけるショーケース用コンデンシングユニットを設置したショーケースの概略断面図
【図４】本発明の実施の形態３におけるショーケース用コンデンシングユニットのコンデンサの概略斜視図
【図５】従来のショーケース用コンデンシングユニットを設置したショーケースの概略断面図
【符号の説明】
【００４１】
１    コンデンサ
２    ファン
３    ファンダクト
４    コンプレッサ
５    ユニットベース
６    ショーケース
７    機械室
８    フランジ
９    スペーサー
１０    エンドプレート
【図１】
2005180844.tif 000003
【図２】
2005180844.tif 000004
【図３】
2005180844.tif 000005
【図４】
2005180844.tif 000006
【図５】
2005180844.tif 000007